(57)【要約】【課題】比較的丈夫な構成で撓み部を設けることなく、スペースを取らず軸筒の太径化を防止でき、筆記体を押し出す際に確実に蓋体を開くことができかつ収納時には確実に開口をシールすることができる出没式塗布具を提供する。【解決手段】軸状塗布体１２の前進動作時には、軸状塗布体１２を前進させて、前記軸状塗布体１２側部の突起１８ｃ１が長孔３４ａ内の前方部に位置して、連結部材３２が前方に移動可能にすることによって、塗布部１４で前記蓋体１６裏面側を押して蓋体１６を開放方向に駆動可能にし、一方、前記軸状塗布体１２の後退動作時には、前記軸状塗布体１２側部の突起１８ｃ１が長孔３４ａ内の後方部に当接して前記連結部材３２を後方に引いて前記蓋体１６を閉動作させるようになっている出没式塗布具である。【選択図】図２
2010089422.tif 000002
【特許請求の範囲】
【請求項１】
軸筒先端の開口から出没可能な軸状塗布体を有し、その軸状塗布体の前進・後退動作に連動して軸筒内でスリーブ体の先端の開口を開放・閉鎖して軸状塗布体先端の塗布部を露出・シールする蓋体を有する出没式塗布具であって、
前記軸状塗布体は、前部の先端に塗布部を一部露出させて嵌入しかつ、後部に塗布液を収容したものであり、
前記スリーブ体は、後部が拡径した略筒状体であって、内部中空に前記軸状塗布体先端部を挿通しており、先端開口を開放・閉鎖する蓋体を設け、
前記蓋体および軸状塗布体の側部同士をそれらが所定距離以上離れた場合に連結して蓋体を閉鎖動作させるための軸方向に伸縮しない連結部材を設け、
前記軸状塗布体の前進動作時には、前記軸状塗布体の塗布部で前記蓋体裏面側を押して蓋体を開放方向に駆動し、スリーブ体の先端開口を通して軸筒先端の開口から塗布部を露出させ、一方、前記軸状塗布体の後退動作時には、軸筒先端の開口からスリーブ体の先端開口を通過し後退してスリーブ体内に塗布部が位置した時点で前記蓋体および軸状塗布体の側部同士が所定距離以上離れた状態になって、前記連結部材によって前記蓋体を閉動作させるようにしたことを特徴とする出没式塗布具。
【請求項２】
前記蓋体の側部に係止溝を設け、
前記軸状塗布体の側部に突起を設け、
前記連結部材は、前記蓋体側部の係止溝１６ｃ１に回動可能に係止する係止突起を前端に設け、かつ、軸状塗布体側部の突起を前後動可能に係止する長孔を後端に設けた複数の板体を、軸状塗布体の側部に隣接して前後方向に沿って延在させたものであり、
前記軸状塗布体の前進動作時には、前記軸状塗布体側部の突起が長孔内の前方部に位置して連結部材が前方に移動可能にすることによって、塗布部で前記蓋体裏面側を押して蓋体を開放方向に駆動可能にし、一方、前記軸状塗布体の後退動作時には、前記軸状塗布体側部の突起が長孔内の後方部に当接して前記連結部材を後方に引いて前記蓋体を閉動作させるようにしたことを特徴とする請求項１に記載の出没式塗布具。
【請求項３】
前記連結部材は、複数の板体同士の前後方向位置を固定するブリッジ部を設けて前記連結部材全体を一体にしたものであることを特徴とする請求項１または２に記載の出没式塗布具。
【請求項４】
軸筒内のスリーブ体の前方位置を位置決めするリブを軸筒先端内部に形成し、軸状塗布体は塗布部が嵌入する前部から段状拡径部を経て後部が一体に形成されており、
前記スリーブ体に前記軸状塗布体の前部を挿通させた状態で前記スリーブ体および前記段状拡径部間であって該軸状塗布体前部周囲に弾性体を設けてこの弾性体によって前記軸状塗布体を後方に付勢したことを特徴とする請求項１から３のうちの１項に記載の出没式塗布具。
【発明の詳細な説明】
【技術分野】
【０００１】
本発明は、使用時には軸先端からペン先を突出させ、非使用時にはペン先を軸内に収容しかつ軸先端開口を蓋体で閉じることが可能な出没式筆記具などの出没式塗布具に関する。
【背景技術】
【０００２】
筆記具では、ペン先にキャップを脱着する手間やキャップの紛失を防止するため、特開２００６−３３４８５６号（特許文献１）に示されるような出没式筆記具が提案されている。この特許文献１記載の出没式筆記具では、蓋体を細線部（撓み部）で閉じた状態から筆記体の前進によって細線部が撓み筆記体先端で蓋体を押し開いて、該筆記体先端の筆記部が突出状態になるように構成している。
【特許文献１】特開２００６−３３４８５６号公報
【発明の開示】
【発明が解決しようとする課題】
【０００３】
しかしながら、前述の従来技術では、細線部等の撓み部が撓むので、筆記体の前進によって撓み部が撓む余裕空間が必要であり、その余裕空間が狭いと蓋体や他の駆動部材に干渉したりからみついたりして駆動が安定的にできない場合がある。また、作動を安定化させるには軸筒を太く形成しなければならず、細径化等設計の自由度の妨げになっていた等の問題があった。
【０００４】
本発明は、斯かる実情に鑑み、比較的丈夫な構成で撓み部を設けることなく、スペースを取らず軸筒の太径化を防止でき、筆記体を押し出す際に確実に蓋体を開くことができかつ収納時には確実に開口をシールすることができる出没式塗布具を提供しようとするものである。
【課題を解決するための手段】
【０００５】
本発明は出没式塗布具に係るものである。
【０００６】
本発明は、軸筒先端の開口から出没可能な軸状塗布体を有し、その軸状塗布体の前進・後退動作に連動して軸筒内でスリーブ体の先端の開口を開放・閉鎖して軸状塗布体先端の塗布部を露出・シールする蓋体を有する出没式塗布具であって、
前記軸状塗布体は、前部の先端に塗布部を一部露出させて嵌入しかつ、後部に塗布液を収容したものであり、
前記スリーブ体は、後部が拡径した略筒状体であって、内部中空に前記軸状塗布体先端部を挿通しており、先端開口を開放・閉鎖する蓋体を設け、
前記蓋体および軸状塗布体の側部同士をそれらが所定距離以上離れた場合に連結して蓋体を閉鎖動作させるための軸方向に伸縮しない連結部材を設け、
前記軸状塗布体の前進動作時には、前記軸状塗布体の塗布部で前記蓋体裏面側を押して蓋体を開放方向に駆動し、スリーブ体の先端開口を通して軸筒先端の開口から塗布部を露出させ、一方、前記軸状塗布体の後退動作時には、軸筒先端の開口からスリーブ体の先端開口を通過し後退してスリーブ体内に塗布部が位置した時点で前記蓋体および軸状塗布体の側部同士が所定距離以上離れた状態になって、前記連結部材によって前記蓋体を閉動作させるようにしたことを特徴とする出没式塗布具である。
【０００７】
本発明において、前記蓋体の側部に係止溝を設け、前記軸状塗布体の側部に突起を設け、前記連結部材は、前記蓋体側部の係止溝に回動可能に係止する係止突起を前端に設け、かつ、軸状塗布体側部の突起を前後動可能に係止する長孔を後端に設けた複数の板体を、軸状塗布体の側部に隣接して前後方向に沿って延在させたものであり、前記軸状塗布体の前進動作時には、前記軸状塗布体側部の突起が長孔内の前方部に位置して連結部材が前方に移動可能にすることによって、塗布部で前記蓋体裏面側を押して蓋体を開放方向に駆動可能にし、一方、前記軸状塗布体の後退動作時には、前記軸状塗布体側部の突起が長孔内の後方部に当接して前記連結部材を後方に引いて前記蓋体を閉動作させるようにしたことが好適である。
【０００８】
本発明において、前記連結部材は、複数の板体同士の前後方向位置を固定するブリッジ部を設けて前記連結部材全体を一体にしたものであることが好適である。
【０００９】
本発明において、軸筒内のスリーブ体の前方位置を位置決めするリブを軸筒先端内部に形成し、軸状塗布体は塗布部が嵌入する前部から段状拡径部を経て後部が一体に形成されており、
前記スリーブ体に前記軸状塗布体の前部を挿通させた状態で前記スリーブ体および前記段状拡径部間であって該軸状塗布体前部周囲に弾性体を設けてこの弾性体によって前記軸状塗布体を後方に付勢したことが好適である。
【発明の効果】
【００１０】
本発明の請求項１〜４記載の出没式塗布具によれば、軸状塗布体の前進動作時には、前記軸状塗布体の塗布部で前記蓋体裏面側を押して蓋体を開放方向に駆動し、スリーブ体の先端開口を通して軸筒先端の開口から塗布部を露出させ、一方、前記軸状塗布体の後退動作時には、軸筒先端の開口からスリーブ体の先端開口を通過し後退してスリーブ体内に塗布部が位置した時点で前記蓋体および軸状塗布体の側部同士が所定距離以上離れた状態になって、前記連結部材によって前記蓋体を閉動作させるようにしたので、軸方向に伸縮しない連結部材を設けて軸筒内の蓋体を開閉動作さて、軸筒内の狭い空間で連結部材が他の部材に干渉することなく前後動する。
【００１１】
したがって、連結部材の撓む余裕空間が不要であり、該連結部材が他の駆動部材に干渉したりからみついたりしないので駆動が安定的にでき、確実に蓋体を開・閉して塗布部を突出・シールができる。また、軸筒を太く形成する必要もないので、細径化等設計の自由度が高い。
【００１２】
なお、前記連結部材を、前記蓋体側部の係止溝に回動可能に係止する係止突起を前端に設け、かつ、軸状塗布体側部の突起を前後動可能に係止する長孔を後端に設けた複数の板体を、軸状塗布体の側部に隣接して前後方向に沿って延在させたものにすれば、軸筒内で前後移動がスムーズに行える。
【００１３】
また、前記連結部材を、複数の板体同士の前後方向位置を固定するブリッジ部を設けて前記連結部材全体を一体にしたものにすれば、剛性が高く一層確実な作動ができる。
【００１４】
また、前記スリーブ体に前記軸状塗布体の前部を挿通させた状態で前記スリーブ体および前記段状拡径部間であって該軸状塗布体前部周囲に弾性体を設けてこの弾性体によって前記軸状塗布体を後方に付勢するので、弾性体が邪魔にならずコンパクトに設置できる。
【００１５】
さらに、従来の技術であると、スリーブ体と蓋体の組み付けは片側毎に連結部材を取り付ける必要があるが、本発明のブリッジ部と本連結部材では、１度の工程でスリーブ体と蓋体とを容易に取り付けることが出来る。
【発明を実施するための最良の形態】
【００１６】
以下、本発明の実施の形態を添付図面を参照して説明する。
【００１７】
図１〜図７は本発明の出没式塗布具の実施形態での説明図であって、図中、同一の符号を付した部分は同一物を表わす。図１（ａ）、（ｂ）は実施形態に係る出没式塗布具のノックしていない状態における、軸周方向に９０度位相を変えた各縦断面である。図２（ａ）、（ｂ）は同出没式塗布具のノックした状態における、軸方向に９０度位相を変えた各縦断面である。図３は同出没式塗布具の蓋体の組付け前の詳細図であって、（ａ）は正面視図、（ｂ）は側面視図、（ｃ）は上方視図、（ｄ）は下方視図である。図４は同出没式塗布具のスリーブ体の詳細図であって（ａ）は側面視図、（ｂ）は縦断面図、（ｃ）は前方視図、（ｄ）は後方視図である。図５は同出没式塗布具の連結部材の詳細図であって（ａ）は平面視図、（ｂ）は側面視図、（ｃ）は前方視図、（ｄ）は後方視図である。図６は出没式筆記具のノックしていないときの軸筒内の軸状塗布体、スリーブ体、蓋体、連結部材等の状態（非ノック状態）を示す詳細斜視図、図７は該出没式筆記具のノックしたときの軸筒内の軸状塗布体、スリーブ体、蓋体、連結部材等の状態（ノック状態）を示す詳細斜視図である。
【００１８】
実施形態に係る出没式塗布具は、図１〜２に示すように、軸筒１０先端の開口１０ａから出没可能な軸状塗布体１２を有し、その軸状塗布体１２の前進・後退動作に連動して軸筒１０内でスリーブ体２４の先端の開口（中空２４ａの先端開口）を開放・閉鎖して軸状塗布体１２先端の塗布部１４を露出・シールする蓋体１６を有する出没式塗布具に係るものであって、ノック式マーカー等の筆記具とすることができる。
【００１９】
軸筒１０は、図１〜２に示すように、前後に亘ってほぼ同一径の中空の概略筒状体であって、側面視で弧を描いて先細になる軸筒１０前端部に開口１０ａが形成され、直線的に延びる軸筒１０後端部に開口１０ｂが形成され、一方、軸筒１０後部の外面部に弾性のあるクリップ１０ｃ（軸筒１０外側面との間で服ポケット等薄板状物を挟み付け固定する）が形成される。
【００２０】
また、軸筒１０内には軸状塗布体１２が進退動可能に挿入され、軸筒１０後部内に軸状塗布体１２の後端部に外装連結された状態で繰出し機構２８が挿入されている。詳しくは、繰出し機構２８のノック筒２８ａが軸筒１０後端部開口１０ｂから進退動可能に突出している。この繰出し機構２８では、ノック筒２８ａが前後方向中央部に前号方向中央部に隔壁２８ｂのある概略筒状を呈しており、その前部から前記軸状塗布体１２の後端部に外嵌し前記隔壁２８ｂが軸状塗布体１２の後端面に突き当たった状態で固定されている。また、ノック筒２８ａには皿状押し体から概略三つ又状に脚部が前方に延びた弾性のある係止部材２８ｃがノック筒２８ａの後端開口にその皿状押し体を突き当てた状態で挿入固定されており、左右の脚部の突起がノック筒２８ａの孔に係止して係止部材２８ｃをノック筒２８ａに固定している。また、係止部材２８ｃの中央部の脚部は左右脚部よりも先方に延びて径方向外側に前、後の係止突起２８ｃ１、２８ｃ２が突出し、この係止突起２８ｃ１、２８ｃ２が軸筒１０の後端部側部に前、後に並んで形成されたスリット状孔１０ｄ１、１０ｄ２に挿入されるようになっている。具体的には、非ノック状態時には、係止突起２８ｃ２が後方スリット状孔１０ｄ２に嵌り、ノック状態時には係止突起２８ｃ１が前方スリット状孔１０ｄ１に嵌って、それぞれの位置にノック筒２８ａひいては前記軸状塗布体１２を固定する。
【００２１】
このように、実施形態の繰出し機構２８は、係止突起２８ｃ１、２８ｃ２が軸筒１０のスリット状孔１０ｄ１，１０ｄ２に嵌入離脱して軸状塗布体１２の突出位置、収納位置に位置決めするいわゆるマツバ式のノック方式となっている。ただ、ノック方式はこのようなマツバ方式の他、カーンノック方式等を採用することができる。
【００２２】
図１、図２に示すように、前記軸状塗布体１２は、実施形態では、塗布具から交換可能なリフィールであって、全体が中空の軸体１８を有しており、軸体１８の前部１８ａが肩部１８ｃを経由してその後部１８ｂよりも段状に細径になりその前部１８ａ内に塗布部１４を嵌入固定しているものである。
【００２３】
なお、前記軸筒１０は、主に硬質樹脂材（例えばＰＰ、ＰＣ、ＡＢＳ、ＰＯＭ）からなる。また、軸状塗布体１２の軸体１８は、主に樹脂材（例えばＰＰ）からなる。塗布部１４は前端がラインマーカーペンに適切な斜めに先細り、後端が円錐状に先細った液体誘導芯であって、繊維体や成形誘導体のいずれでもよい。
【００２４】
また、塗布部１４先端は軸体前部１８ａ先端より突出しており、また、塗布部１４後端が軸体後部１８ｂの収容部内に突出して塗布液を誘導するようにしている。前記軸体前部１８ａから肩部１８ｃで段状に拡径して連続する軸体後部１８ｂ内が塗布液（インキ等）を収容する収容部である。該軸体後部１８ｂの収容部内には、中綿に塗布液を含浸させた塗布液を収容している。
【００２５】
また軸体後部１８ｂの後端開口はノック筒２８ａを外嵌して隔壁２８ｂによって塞いでいる。ノック筒２８ａの隔壁２８ｂが軸体後部１８ｂの栓としての機能も有している。塗布液が不足した場合は、ノック筒２８ａを軸体後部１８ｂから外すことによって、軸状塗布体１２を交換する事ができる。また、軸状塗布体１２の全体的な交換が困難な場合は、ノック筒２８ａを軸体後部１８ｂから外して軸体後部１８ｂの収容部を開いて中綿交換することで対応することができる。
【００２６】
軸筒１０前部の周方向一側内部には軸方向に沿ってリブ１０ｅが延設され、このリブ１０ｅの前方部は軸筒１０内面に対する高さが段状に高くなっている。そのリブ１０ｅの段状に高くなっている部分にスリーブ体２４の後部のフランジ部２４ｂを当接させてスリーブ体２４が軸筒１０内に挿入されている。
【００２７】
軸筒１０内面であって前記リブ１０ｅの形成されていない側には、スリーブ体２４の外側面部と軸筒１０内面との間に蓋体１６の支持部１６ａを挟み付けて支持固定している。
【００２８】
スリーブ体２４後面と軸状塗布体１２の肩部１８ｃ前面との間には、コイル状スプリング等の弾性体３０が設けられており、この弾性体３０によって軸状塗布体１２を後方に付勢している。
【００２９】
ここで、前記スリーブ体２４は、後部が拡径した略筒状体であって、内部中空２４ａに前記軸状塗布体１２先端部（軸体前部１８ａ）を挿通しており、スリーブ体２４の内部中空２４ａ先方側の先端開口２４ａ１を開放・閉鎖する蓋体１６を設けている。
【００３０】
前記蓋体１６および軸状塗布体１２の側部同士をそれらが所定距離以上離れた場合に連結して蓋体１６を閉鎖動作させるための軸方向に伸縮しない連結部材３２を設けている。
【００３１】
前記軸状塗布体１２の前進動作時には、前記軸状塗布体１２の塗布部１４先端で前記蓋体１６裏面側を押して蓋体１６を開放方向に駆動し、スリーブ体２４の先端開口２４ａ１を通して軸筒１０先端の開口１０ａから塗布部１４を露出させ、一方、前記軸状塗布体１２の後退動作時には、軸筒先端の開口１０ａからスリーブ体２４の先端開口２４ａ１を通過し後退してスリーブ体２４内に塗布部１４が位置した時点で前記蓋体１６および軸状塗布体１２の側部同士が所定距離以上離れた状態になって、前記連結部材３２によって前記蓋体１６を閉動作させるようになっている。
【００３２】
蓋体１６は、図３に示すように、前記概略円形の本体部１６ｂの外周側部には、１８０度間隔を持って腕部が前記本体部１６ｂの軸方向後方に延びた対の腕部１６ｃが形成され、また、外周部の対の腕部１６ｃ、１６ｃの間には、前記本体部１６ｂの平面方向に前記支持部１６ａが延在している。前記本体部１６ｂは、厚板状であって、スリーブ体２４の先端開口２４ａ１に当接する面が膨出して形成されている。支持部１６ａは本体部１６ｂへの繋ぎ部分１６ａ１が折れ曲がりやすく形成され、それ以外の部分が厚板状で曲がり難く形成されている。また、腕部１６ｃ、１６ｃの側面部に長さ方向沿って延びた係止溝１６ｃ１が貫通形成されている。
【００３３】
スリーブ体２４は、図４に示すように、その軸方向中央の側面部に前記蓋体１６の支持部１６ａを嵌入するための押え溝２４ｃが形成されている。フランジ部２４ｂの外周には、連結部材３２の板体３４を通過させる（摺動可能に嵌めてもよい）通過溝２４ｂ１、２４ｂ１が凹んで設けられている。また、軸筒１０内でのスリーブ２４回り止めのためフランジ部２４ｂの外周には、前記リブ１０ｅに嵌めるための回り止め溝２４ｄが形成されている。
【００３４】
軸状塗布体１２、蓋体１６、スリーブ体２４、弾性体３０、連結部材３２の組み立てについて説明する。
【００３５】
前記蓋体１６の側部に係止溝１６ｃ１を設け、前記軸状塗布体１２の軸体１８の肩部側部に突起１８ｃ１を設けている。
【００３６】
前記連結部材３２は、前記蓋体１６側部の係止溝１６ｃ１に回動可能に係止する係止突起３４ｂを板体３４前端に設け、かつ、軸状塗布体１２側部の突起１８ｃ１を前後動可能に係止する長孔３４ａを後端に設けた一対（複数の例）の板体３４を、軸状塗布体１２の側部に隣接して前後方向に沿って延在させたものである。
連結部材３２は、ＰＯＭ（ポリアセタール）等の比較的剛性の高い材料で形成されている。
【００３７】
前記連結部材３２は、上記のように一対（複数の例）の板体３４同士の前後方向位置を固定する弧状のブリッジ部３６を、軸体前部１８ａを避ける形状に設けて前記連結部材３２全体を一体にしたものである。
【００３８】
軸筒１０内のスリーブ体２４の前方位置を位置決めするリブ１０ｅを軸筒先端内部に形成し、軸状塗布体１２の軸体１８は塗布部１４が嵌入する前部１８ａから段状に拡径する肩部１８ｃを経て後部１８ｂが一体に形成されている。
【００３９】
前記スリーブ体２４に前記軸状塗布体１２の軸体前部１８ａを挿通させた状態で前記スリーブ体２４および前記軸体肩部（段状拡径部）１８ｃ間であって該軸状塗布体１２前部周囲に弾性体３０を設けてこの弾性体３０によって前記軸状塗布体１２を後方に付勢したものである。
【００４０】
前記軸状塗布体１２の前進動作時には、弾性体３０付勢力に抗してノック筒２８ａの後端面を押すことによって、軸状塗布体１２を前進させて、図２、図７に示すように、前記軸状塗布体１２側部の突起１８ｃ１が長孔３４ａ内の前方部に位置して、連結部材３２が前方に移動可能にすることによって、塗布部１４で前記蓋体１６裏面側を押して蓋体１６を開放方向に駆動可能にしている。軸状塗布体１２が前進端まで来ると、係止部材２８ｃの前方の係止突起２８ｃ１がスリット状孔１０ｄ１に嵌り込んで係止し、前進状態を保持する。
【００４１】
一方、前記軸状塗布体１２の後退動作時には、図２に示す状態から係止部材２８ｃの後方の係止突起２８ｃ１または２８ｃ２を軸中心方向に押し、前方の係止突起２８ｃ１をスリット状孔１０ｄ１から外すことによって弾性体３０の付勢力によって軸状塗布体１２を後退させる。軸状塗布体１２が後退端まで来ると、図１に示すように、係止部材２８ｃの後方の係止突起２８ｃ２がスリット状孔１０ｄ２の後方の端部に接触し、後退状態を保持する。この場合、図１、図６に示すように、前記軸状塗布体１２側部の突起１８ｃ１が長孔３４ａ内の後方部に当接して前記連結部材３２を後方に引いて前記蓋体１６を閉動作させるようになっている。
【００４２】
実施形態によれば、上記のように構成したので、軸方向に伸縮しない連結部材３２を設けて軸筒１０内の蓋体１６を開閉動作さて、軸筒１０内の狭い空間で連結部材３２が他の部材に干渉することなく前後動する。
【００４３】
したがって、連結部材３２の撓む余裕空間が不要であり、他の駆動部材に干渉したりからみついたりしないので駆動が安定的にでき、確実に蓋体を開・閉して塗布部を突出・シールができる。また、軸筒１０を太く形成する必要もないので、細径化等設計の自由度が高い。
【００４４】
なお、前記連結部材３２には、前記蓋体１６側部の係止溝１６ｃ１に回動可能に係止する係止突起３４ｂを前端に設け、かつ、軸状塗布体１２側部の突起１８ｃ１を前後動可能に係止する長孔３４ａを後端に設けた複数の板体３４を、軸状塗布体１２の側部に隣接して前後方向に沿って延在させたものにするので、軸筒１０内で前後移動がスムーズに行える。
【００４５】
また、前記連結部材３２を、複数の板体３４同士の前後方向位置を固定するブリッジ部３６を設けて前記連結部材３２全体を一体にしたものにするので、剛性が高く一層確実な作動ができる。
【００４６】
また、前記スリーブ体２４に前記軸状塗布体１２の軸体前部１８ａを挿通させた状態で前記スリーブ体２４および前記肩部（段状拡径部）１８ｃ間であって該軸状塗布体１２前部周囲に弾性体３０を設けてこの弾性体３０によって前記軸状塗布体１２を後方に付勢するので、弾性体３０が邪魔にならずコンパクトに設置できる。
【図面の簡単な説明】
【００４７】
【図１】本発明の出没式塗布具の実施形態での説明図であって、（ａ）、（ｂ）は実施形態に係る出没式塗布具のノックしていない状態における、軸周方向に９０度位相を変えた各縦断面である。
【図２】（ａ）、（ｂ）は同出没式塗布具のノックした状態における、軸方向に９０度位相を変えた各縦断面である。
【図３】同出没式塗布具の蓋体の組付け前の詳細図であって、（ａ）は正面視図、（ｂ）は左側面図、（ｃ）は上方視図、（ｄ）は下方視図である。
【図４】同出没式塗布具のスリーブ体の詳細図であって（ａ）は側面視図、（ｂ）は縦断面図、（ｃ）は前方視図、（ｄ）は後方視図である。
【図５】同出没式塗布具の連結部材の詳細図であって（ａ）は平面視図、（ｂ）は側面視図、（ｃ）は前方視図、（ｄ）は後方視図である。
【図６】出没式筆記具のノックしていないときの軸筒内の軸状塗布体、スリーブ体、蓋体、連結部材等の状態（非ノック状態）を示す詳細斜視図である。
【図７】該出没式筆記具のノックしたときの軸筒内の軸状塗布体、スリーブ体、蓋体、連結部材等の状態（ノック状態）を示す詳細斜視図である。
【符号の説明】
【００４８】
１０  軸筒
１０ａ  軸筒の前端部開口
１０ｂ  軸筒の後端部開口
１０ｃ  クリップ
１０ｄ１  前方スリット状孔
１０ｄ２  後方スリット状孔
１０ｅ  リブ
１２  軸状塗布体
１４  塗布部
１６  蓋体
１６ａ  支持部
１６ａ１  繋ぎ部分
１６ｂ  本体部
１６ｃ  腕部
１６ｃ１  係止溝
１８  軸体
１８ａ  軸体の前部
１８ｂ  軸体の後部
１８ｃ  軸体の肩部
１８ｃ１  突起
２４  スリーブ体
２４ａ  内部中空
２４ａ１  先端開口
２４ｂ  フランジ部
２４ｂ１  通過溝
２４ｃ  押え溝
２８  繰出し機構
２８ａ  ノック筒
２８ｂ  隔壁
２８ｃ  係止部材
２８ｃ１  前方の係止突起
２８ｃ２  後方の係止突起
３０  弾性体
３２  連結部材
３４  板体
３４ａ  長孔
３４ｂ  係止突起
３６  ブリッジ部
【図１】
2010089422.tif 000003
【図２】
2010089422.tif 000004
【図３】
2010089422.tif 000005
【図４】
2010089422.tif 000006
【図５】
2010089422.tif 000007
【図６】
2010089422.tif 000008
【図７】
2010089422.tif 000009